(57)【要約】【課題】高い耐衝撃性を備えると共に遮光性に優れたレンズ鏡筒を提供する。【解決手段】カムフォロワ４４を有し光軸Ｏ方向に移動可能な第１の枠部材１２と、カムフォロワと係合し第１の枠部材と相対移動するためのカム溝５ｂを有する第２の枠部材５と、第２の枠部材と共に光軸方向に相対移動する第３の枠部材６と、光軸と直交するように配置され光軸周りに開口１４ｂｂが設けられた円板部１４ｂと、円板部の外周から連続して形成され光軸方向に第１の枠部材及び第３の枠部材と常に重なるよう配置される部分を有した筒状部１４ａと、円板部の外周近傍から筒状部の開放端面側に向けて光軸方向に筒状部上に設けられカムフォロワの軸部の先端部分４４ｂが嵌合する長孔１４ａａとを有する第４の枠部材１４とを具備し、第４の枠部材はカムフォロワの軸部が長孔の端部に係合することにより第１の枠部材及び第３の枠部材と相対移動が可能に構成されている。【選択図】図１
2009192733.tif 000002
【特許請求の範囲】
【請求項１】
レンズ鏡筒において、
カムフォロワを有し光軸方向に移動可能な第１の枠部材と、
上記カムフォロワと係合し上記第１の枠部材と相対移動するためのカム溝を有する第２の枠部材と、
上記第２の枠部材と共に光軸方向に相対移動する第３の枠部材と、
光軸と直交するように配置され光軸周りに開口が設けられた円板部と、該円板部の外周から連続して形成され光軸方向に上記第１の枠部材及び上記第３の枠部材と常に重なるよう配置される部分を有した筒状部と、該円板部の外周近傍から該筒状部の開放端面側に向けて光軸方向に該筒状部上に設けられ上記カムフォロワの軸部が嵌合する長孔とを有する第４の枠部材と、
を具備し、
上記第４の枠部材は、上記カムフォロワの軸部が上記長孔の端部に係合することにより、上記第１の枠部材及び上記第３の枠部材と光軸方向に相対移動が可能に構成されていることを特徴とするレンズ鏡筒。
【請求項２】
上記第４の枠部材は、上記第１の枠部材と上記第３の枠部材との間から入射する不要光を遮断する遮光機能を有することを特徴とする請求項１に記載のレンズ鏡筒。
【請求項３】
上記円板部の開口は、フレア防止機能を有することを特徴とする請求項１に記載のレンズ鏡筒。
【発明の詳細な説明】
【技術分野】
【０００１】
この発明は、レンズ鏡筒、詳しくは複数の枠部材が光軸方向に相対移動可能に構成されるレンズ鏡筒の耐衝撃構造及び耐遮光構造に関するものである。
【背景技術】
【０００２】
従来、カメラ等に用いられるレンズ鏡筒は、複数の光学要素（光学レンズ）をそれぞれ保持する複数の枠部材等からなり、これら複数の枠部材は、それぞれがカム結合やヘリコイド結合によって互いに連結された状態となっている。このような構成により、各枠部材は、それぞれが光軸方向に適宜相対移動することで、ズーミング動作（変倍動作）等が行われるようになっている。
【０００３】
このようなレンズ鏡筒において、例えば隣接する枠部材が相対的に光軸方向に移動して、各枠部材同士の光軸方向における間隔が広くなったときには、落下等に起因する外部からの衝撃力に対する耐衝撃性が低下する傾向にある。したがって、このような状態で、当該枠部材に衝撃力が加わると、枠部材同士の連結部分における係合が外れてしまい、これにより枠部材が脱落してしまう可能性がある。
【０００４】
そこで、例えば特開２００５−１８９４４３号公報等によって開示されているレンズ鏡筒においては、第１レンズ保持枠と第２レンズ保持枠とが光軸を中心とした径方向で第１レンズ保持枠のカムフォロワと常に重なるように配置されるように構成している。
【０００５】
一方、従来のレンズ鏡筒において、ズーミング動作を行った場合において、隣接する枠部材同士の光軸方向における間隔が広くなった状態では、各枠部材の隙間から光漏れが発生する可能性もある。
【０００６】
そこで、このような光漏れを抑止するために、例えば遮光用のシート部材や付勢ばね等を用いる技術について、従来種々の提案がなされ、また実用化されている（例えば特開２００７−１９９３１２号公報等）。
【特許文献１】特開２００５−１８９４４３号公報
【特許文献２】特開２００７−１９９３１２号公報
【発明の開示】
【発明が解決しようとする課題】
【０００７】
ところが、上記特開２００５−１８９４４３号公報等によって開示されている手段では、第１レンズ保持枠と第２レンズ保持枠の配置が規制されることにより、ズーム倍率等、光学的な性能向上を規制してしまうという問題点がある。
【０００８】
一方、従来のレンズ鏡筒等において実用化されているような耐遮光対策を施した場合には、遮光用のシート部材等の構成部品が増加する上に、レンズ鏡筒自体の内部構成が複雑になってしまうと同時に、ズーミング動作時の負荷が増大してしまうという問題点もある。
【０００９】
本発明は、上述した点に鑑みてなされたものであって、その目的とするところは、枠部材同士の光軸方向における間隔が広くなったときにおいても、高い耐衝撃性を備えた耐衝撃構造を有すると同時に、枠部材同士の隙間からの光線漏れを抑えることができ遮光性に優れた耐遮光構造を有するレンズ鏡筒を提供することである。
【課題を解決するための手段】
【００１０】
上記目的を達成するために、本発明によるレンズ鏡筒は、カムフォロワを有し光軸方向に移動可能な第１の枠部材と、上記カムフォロワと係合し上記第１の枠部材と相対移動するためのカム溝を有する第２の枠部材と、上記第２の枠部材と共に光軸方向に相対移動する第３の枠部材と、光軸と直交するように配置され光軸周りに開口が設けられた円板部と、該円板部の外周から連続して形成され光軸方向に上記第１の枠部材及び上記第３の枠部材と常に重なるよう配置される部分を有した筒状部と、該円板部の外周近傍から該筒状部の開放端面側に向けて光軸方向に該筒状部上に設けられ上記カムフォロワの軸部が嵌合する長孔とを有する第４の枠部材と、を具備し、上記第４の枠部材は、上記カムフォロワの軸部が上記長孔の端部に係合することにより、上記第１の枠部材及び上記第３の枠部材と相対移動が可能に構成されていることを特徴とする。
【発明の効果】
【００１１】
本発明によれば、枠部材同士の光軸方向における間隔が広くなったときにおいても、高い耐衝撃性を備えた耐衝撃構造を有すると同時に、枠部材同士の隙間からの光線漏れを抑えることができ遮光性に優れた耐遮光構造を有するレンズ鏡筒を提供することができる。
【発明を実施するための最良の形態】
【００１２】
以下、図示の実施の形態によって本発明を説明する。
【００１３】
図１〜図４は、本発明の一実施形態を示す図である。このうち、図１は本実施形態のレンズ鏡筒の構成を示す分解斜視図である。図２は本実施形態のレンズ鏡筒を組み立てた状態において、光軸に沿う線と図１のＡ−Ａ線及び同図１のＢ−Ｂ線を含む平面で切断した切断面を示す斜視断面図である。図３，図４は本実施形態のレンズ鏡筒を組み立てた状態の断面図である。なお、図３は本レンズ鏡筒の各枠部材が繰り出されて撮影を行い得る使用状態（撮影準備状態）であって最も伸長した状態（テレ端位置）にある場合を示している。また、図４は本レンズ鏡筒の各枠部材が繰り込まれた非使用状態（沈胴状態）にある場合を示している。そして、図３，図４においては、図面の繁雑化を避けるために断面の上半部のみを図示している。
【００１４】
以下の説明においては、本実施形態のレンズ鏡筒における撮影光学系の光軸を符号Ｏで表す。この光軸Ｏに沿う方向において被写体側を前方とし、当該レンズ鏡筒における各枠部材が前方に向かう際の方向を繰り出し方向という。一方、同光軸Ｏに沿う方向において結像側を後方とし、各枠部材が後方に向かう際の方向を繰り込み方向という。
【００１５】
本実施形態のレンズ鏡筒は、例えばカメラに適用されるものであって、光軸Ｏに沿う方向に伸長して繰り出され、つまり当該レンズ鏡筒が適用されるカメラの筐体から前方に向けて伸長し突出して撮影動作をおこない得る形態、即ち撮影動作を待機している形態であって使用状態である撮影準備状態と、光軸Ｏに沿う方向に短縮して繰り込まれ、同カメラの筐体内に収納され、当該レンズ鏡筒が撮影動作に供しない形態である非使用状態である沈胴状態との間でレンズ鏡筒の全長が伸縮自在に構成され、かつ撮影準備状態にあるときには、短焦点位置（ワイド位置）と長焦点位置（テレ位置）との間で複数の枠部材のそれぞれをを相対的に繰り出しまたは繰り込むことで変倍動作（ズーミング）を可能とする伸縮機構を有して構成されるズームレンズ鏡筒である。
【００１６】
簡略に言えば、本レンズ鏡筒は、沈胴位置と撮影準備状態の短焦点位置（ワイド位置）との間、及び撮影準備状態において短焦点位置と長焦点位置（テレ位置）との間のそれぞれにおいて複数の枠部材が光軸Ｏに沿う方向で進退するように構成されているものである。
【００１７】
本発明の一実施形態のレンズ鏡筒の構成について、図１〜図４を用いて以下に説明する。
【００１８】
本実施形態のレンズ鏡筒１は、図１に示すように、カメラ本体（図示せず）に固定される固定枠２と、合焦動作時や沈胴動作時に光軸Ｏに沿う方向に進退駆動される四群枠１３と、固定枠２の内側に回動自在にかつ光軸Ｏに沿う方向に進退自在に配置されるカム枠５（第２の枠部材）と、このカム枠５の内側においてバヨネット結合により配置されカム枠５に対して相対的に回動しかつカム枠５と共に光軸Ｏに沿う方向に一体に移動するフロート枠６と、カム枠５及びフロート枠６により回転規制がなされた状態で光軸Ｏに沿う方向にそれぞれが移動可能に配設される一群枠１２（第１の枠部材），二群枠１１（第３の枠部材），三群枠１０と、上記一群枠１２と二群枠１１との間に配置される耐衝撃遮光用枠部材１４（第４の枠部材）と、固定枠２の後端に固定され撮像素子２６，光学ローパスフイルタ２６ａ等を実装した電気基板等からなる撮像ユニット２５が固設される保持プレート１５等によって構成される。
【００１９】
本レンズ鏡筒１の撮影光学系は、一群枠１２に保持される一群レンズ２１（図１では図示せず。図２〜図４参照）と、二群枠１１に保持される二群レンズ２２と、三群枠に保持される三群レンズ２３と、四群枠１３に保持されるフォーカシングレンズである四群レンズ２４とによって構成される。
【００２０】
固定枠２は、円筒状に形成されており、その内周部に光軸Ｏに対して傾斜する方向に形成される傾斜カム溝部２ｂａと、この傾斜カム溝部２ｂａの光軸に対する傾斜より緩い傾斜を有して円周に沿う方向に形成される円周溝部２ｂｂとが連接してなるカム溝２ｂや、光軸Ｏに沿う方向に形成される直進溝２ｃ等を有している。
【００２１】
固定枠２の外周部には、撮影光学系のズーミング動作をおこなうためのズーム駆動源であるズームモータと、このズームモータの駆動力を伝達するギヤー列，ロングギヤー２ａ等からなるズーミングユニットと、撮影光学系のフォーカシング動作をおこなうためのフォーカス駆動源であるフォーカスモータ，フォーカスモータの駆動力を伝達するギヤー列，送りねじ及びガイド軸等からなるフォーカシングユニット１８とが配設されている。
【００２２】
ズーミングユニットは、ズームモータにより本レンズ鏡筒１の撮影光学系のうちズーミング動作に寄与するズーム光学系（一群レンズ２１，二群レンズ２２，三群レンズ２３）をそれぞれ保持するレンズ保持枠（１２，１１，１０）を光軸Ｏに沿う方向に進退駆動させるズーム駆動機構であり、さらに、本レンズ鏡筒１を撮影準備状態から沈胴状態へと駆動させる沈胴動作をもおこなう。
【００２３】
フォーカシングユニット１８は、フォーカスモータにより本レンズ鏡筒１の撮影光学系のうちフォーカシング動作に寄与するフォーカシング光学系（四群レンズ２４）を保持する四群枠１３を光軸Ｏに沿う方向に駆動するフォーカス駆動機構としての役目をしている。
【００２４】
なお、ズーミングユニットのロングギヤー２ａは、特に図示されていないが、光軸Ｏに平行となる方向に沿って歯スジが配置され、固定枠２の内周部に歯面（歯部）が露呈した状態で回動自在に支持されている。
【００２５】
カム枠５は、円筒状に形成され、固定枠２の内周部に回動及び進退自在な状態で嵌入される第２の枠部材である。カム枠５の外周側後端には、固定枠２のカム溝２ｂに嵌入するカムフォロワ５ｅと、ズーミングユニットのロングギヤー２ａに噛合するギヤー部５ａとが形成されている。これにより、カム枠５は、固定枠２に対して回転しながら光軸Ｏに沿う方向に進退自在となっている。
【００２６】
また、カム枠５の内周部には、光軸Ｏに対して傾斜する方向に形成され、一群枠１２の第１カムフォロワ４４が係合する一群用カム溝５ｂと、二群枠１１の第２カムフォロワ４３が係合する二群用カム溝５ｃと、三群枠の第３カムフォロワ４２が係合する三群用カム溝５ｄが形成されている。
【００２７】
フロート枠６は、円筒状に形成されており、後端外周部に固定枠２の直進溝２ｃに嵌入するガイド突起部６ａを有して形成されている。また、フロート枠６は、光軸Ｏに沿う方向に内外周を貫通するように形成される二群用直進溝６ｂ，三群用直進溝６ｃと、光軸Ｏに沿う方向に外周面上に形成される有底の一群用直進溝６ｄとを有している。
【００２８】
このフロート枠６は、カム枠５の内周に嵌入した状態に配置される。このとき、フロート枠６のガイド突起部６ａが固定枠２の直進溝２ｃに嵌入している。これにより、当該フロート枠６は、固定枠２により光軸方向にのみ進退するようになっている。また、フロート枠６の一群用直進溝６ｄには、一群枠１２のガイド突部（図示せず）が嵌入している。これにより、当該フロート枠６は、一群枠１２を進退自在に支持すると共に回転を規制している。
【００２９】
なお、フロート枠６は、カム枠５に対して相対的に回転自在となっており、かつ光軸Ｏに沿う方向に対しては、カム枠５と一体に移動するようにバヨネット結合している。
【００３０】
三群枠１０は、フロート枠６の内周側に嵌入した状態で配置される。三群枠１０は、略中央部分に三群レンズ２３を保持する円筒状の枠部材１０ａと、この枠部材１０ａから外方に延出する三本の腕部材１０ｂとによって構成される。三本の腕部材１０ｂには、外方に向けて突設される第３カムフォロワ４２が形成されている。この第３カムフォロワ４２は、フロート枠６の三群用直進溝６ｃを介してカム枠５の三群用カム溝５ｄに嵌入しカム結合している。これにより、三群枠１０は、カム枠５が回転すると第３カムフォロワ４２が三群用カム溝５ｄに沿って移動することになるが、腕部材１０ｂがフロート枠６の三群用直進溝６ｃに係合していることで、当該三群枠１０は、フロート枠６によってカム枠５に対する回動を規制されている。したがって、三群枠１０は、カム枠５が回転すると、回動が規制された状態で光軸Ｏに沿う方向に進退するようになっている。
【００３１】
また、三群枠１０には、枠部材１０ａの外周面上に光軸Ｏに沿う方向の前方に向けて延出するように一体に形成され第２の腕部であるバリアレバー押圧腕部５２が配設されている。このバリアレバー押圧腕部５２は、三群枠１０が沈胴動作により光軸Ｏに沿う方向に進退する際、後述するレンズバリア駆動ユニットの駆動レバー（特に図示せず）に作用して、レンズバリア２７ａ，２７ｂの開閉をおこなうために設けられている。なお、レンズバリア２７ａ，２７ｂの開閉機構については、本発明に直接関連しない部分であるので、その詳細説明を省略する。
【００３２】
二群枠１１は、三群枠１０と同様にフロート枠６の内側に嵌入した状態で、三群枠１０の前方の位置に配置される第３の枠部材である。この二群枠１１は、略中央部分に二群レンズ２２を保持する円筒状の枠部材１１ｂと、この枠部材１１ｂから外方に向けて突設されるガイド突部１１ａと、このガイド突部１１ａ上から外方に向けて突設される第２カムフォロワ４３とを有している。ガイド突部１１ａは、フロート枠６の二群用直進溝６ｂに嵌入するようになっており、第２カムフォロワ４３は、該二群用直進溝６ｂを挿通して、その外方に設けられるカム枠５の二群用カム溝５ｃに摺動可能に嵌入している。したがってこれにより、二群枠１１は、フロート枠６によって回転が規制された状態で、カム枠５によって光軸方向に相対移動されるようになっている。
【００３３】
また、二群枠１１の枠部材１１ｂの外周面上には、外面に向けて突設される二つの係止突部（１１ｃａ，１１ｃｂ）が形成されている。この二つの係止突部（１１ｃａ，１１ｃｂ）は、光軸Ｏに沿う方向に間隔をおいて並べて配置されている。これら二つの係止部（１１ｃａ，１１ｃｂ）は、後述するように、耐衝撃遮光用枠部材１４の被係止突部１４ｃを係止することで、耐衝撃遮光用枠部材１４の光軸Ｏに沿う方向の移動範囲を規制するために設けられているものである。なお、光軸Ｏに沿う方向において、前側に配置される係止突部を前側係止突部１１ｃａと、後側に配置される係止突部を後側係止突部１１ｃｂというものとする。
【００３４】
なお、図４に示すように、本レンズ鏡筒１が沈胴状態にされたときには、二群枠１１の内側に三群枠１０が配置され、この三群枠１０の内側に四群枠１３が配置されるようになっている。
【００３５】
一群枠１２は、二群枠１１，三群枠１０と同様にカム枠５の内周側に嵌入した状態で、二群枠１１の前方の位置に配置される第１の枠部材である。一群枠１２は、略中央部分で一群レンズ２１を保持する円筒状の枠部材１２ａと、この枠部材１２ａの最先端部分の内部に配設されレンズバリア２７ａ，２７ｂ等からなるレンズバリア駆動ユニットと、前面側を覆う外観部品となる前面カバー部材（１２ｄ，１２ｅ）等によって構成されている。
【００３６】
枠部材１２ａの外周側後端部には、外方に向けて突設されカム枠５の一群用カム溝５ｂに嵌合する第１カムフォロワ４４が、円周方向において等間隔に複数（例えば三つ）形成されている。また、枠部材１２ａの内周面には、第１カムフォロワ４４の配置されている位置に対応する部位に、光軸Ｏに沿う方向に延びるようにかつ内方に向けて突設されるガイド突部（図示せず）が形成されている。このガイド突部は、フロート枠６の一群用直進溝６ｄに嵌入するようになっている。これにより、一群枠１２は、フロート枠６によって回転が規制された状態で、第１カムフォロワ４４の頭部４４ａと一群用カム溝５ｂとがカム結合していることによって光軸Ｏに沿う方向に進退駆動されるようになっている。
【００３７】
そして、一群枠１２の内周側で、かつ二群枠１１の外周側の隙間には、第４の枠部材である耐衝撃遮光用枠部材１４が配設されている。この耐衝撃遮光用枠部材１４は、光軸Ｏに直交するように配置され略中央部分の光軸Ｏ周りに被写体側からの光束を通過させるための開口１４ｂｂが設けられたドーナツ状の円板部１４ｂと、該円板部１４ｂの外周から連続して光軸Ｏに沿う方向における後方に向けて形成される筒状部１４ａとによって構成される。
【００３８】
円板部１４ｂの開口１４ｂｂは、本レンズ鏡筒１の前方から入射し一群レンズ２１を通過してくる光束が後方へと直進する際に不要光を遮蔽してフレアが発生するのを防止するために設けられている。
【００３９】
また、筒状部１４ａは、一群枠１２（第１の枠部材）及び二群枠１１（第３の枠部材）に対して常に重なる部分を有するように配置される。また、筒状部１４ａの周面状には、円板部１４ｂの外周近傍から光軸Ｏに沿う方向に当該筒状部１４ａの開放端面側（後方側）に向けて、一群枠１２の第１カムフォロワ４４の頭部４４ａとは反対側の軸端部である軸部の先端部分４４ｂの先端部が嵌合し得る形状で光軸方向に延びる長孔１４ａａが、円周方向において等間隔に複数（例えば三つ）、即ち第１カムフォロワ４４の数と同数形成されている。
【００４０】
そして、該長孔１４ａａの配置されている部分に対して円周方向にずらせた位置に、内周側に突出する被係止突部１４ｃが、円周方向において等間隔に複数（例えば三つ）形成されている。
【００４１】
この被係止突部１４ｃは、当該耐衝撃遮光用枠部材１４が光軸Ｏに沿う方向に移動するとき、二つの係止突部（１１ｃａ，１１ｃｂ）によって係止されるようになっている。これにより、当該耐衝撃遮光用枠部材１４の光軸Ｏ方向における移動が所定の範囲となるように規制されている。
【００４２】
このように構成された本実施形態のレンズ鏡筒１の作用を主に図３，図４を用いて以下に説明する。
【００４３】
図３，図４は本実施形態のレンズ鏡筒の断面の上半部を示す断面図である。図３は本レンズ鏡筒の使用状態（撮影準備状態）を、図４は本レンズ鏡筒の非使用状態（沈胴状態）をそれぞれ示している。
【００４４】
図３，図４では、本レンズ鏡筒１を構成する各枠部材について、使用状態と非使用状態との各状態での概略的な配置を示している。また、第１の枠部材（一群枠１２），第２の枠部材（カム枠５），第３の枠部材（二群枠），第４の枠部材（耐衝撃遮光用枠部材１４）については、それぞれの連結関係も合わせて示している。したがって、他の枠部材や他の構成部材についての詳細については、図示を省略している。
【００４５】
まず、本レンズ鏡筒１が図４に示す沈胴状態にあるとき、本レンズ鏡筒１が適用されるカメラ（特に図示せず）の電源をオン状態とする操作が使用者により行われると、本レンズ鏡筒１の制御回路（図示せず）は、電源オン信号を受けてズーミングユニットを制御してズームモータを回転駆動させる。すると、このズームモータの駆動力は、ズーミングユニットのズーム駆動機構を介してロングギヤー２ａを回転駆動する。このロングギヤー２ａは、カム枠５のギヤー部５ａに噛合している。したがって、ロングギヤー２ａの駆動力は、ギヤー部５ａを介してカム枠５に伝達されて、当該カム枠５を回転させる。
【００４６】
こうしてカム枠５が回転すると、カム枠５のカムフォロワ５ｅは、固定枠２のカム溝２ｂに沿って移動する。即ち、カム枠５と固定枠２とのカム結合により、カム枠５は回転しながら光軸Ｏに沿う方向に繰り出される。このとき、フロート枠６もカム枠５と共に一体に光軸Ｏに沿う方向に移動する。なお、フロート枠６は、ガイド突起部６ａが固定枠２の直進溝２ｃに嵌入していることにより、固定枠２に対しての回転規制されている。したがって、フロート枠６は、回転せずに固定枠２に対して光軸Ｏに沿う方向に、カム枠５と共に前進する。つまり、カム枠５は、フロート枠６に対しては相対的に回転しながら、フロート枠６と共に前進する。
【００４７】
カムフォロワ５ｅが固定枠２のカム溝２ｂの傾斜カム溝部２ｂａに沿って移動する期間においては、カム枠５は、回転しながら沈胴状態の位置（図４）と撮影待機状態におけるワイド端位置（特に図示せず）との間で進退移動（繰り出し及び繰り込み）される。
【００４８】
こうしてカム枠５及びフロート枠６が一体に光軸Ｏに沿う方向に進退移動する際には、カム枠５の回転によって一群枠１２，二群枠１１，三群枠１０が、それぞれ所定の移動量で光軸Ｏに沿う方向に進退する。
【００４９】
そして、カムフォロワ５ｅが固定枠２のカム溝２ｂの傾斜カム溝部２ｂａの前側端部近傍の所定の位置に到達すると、ズームモータの回転駆動が停止される。これにより、本レンズ鏡筒１は、撮影準備状態になる。
【００５０】
この撮影準備状態において、使用者により所定の操作部材を用いて繰り出し方向へのズーミング操作がなされると、本レンズ鏡筒１の制御回路は、ズーミング信号を受けてズーミングユニットを制御してズームモータを回転駆動させる。すると、上述の沈胴状態から撮影準備状態への動作時と同様に、ズームモータの駆動力がズーミングユニットのズーム駆動機構を介してロングギヤー２ａを回転駆動させ、該ロングギヤー２ａがカム枠５を回転させる。
【００５１】
これにより、カム枠５は、回転しながら沈胴状態から撮影準備状態に移動する光軸方向への移動量より少なめに光軸Ｏに沿う方向に繰り出される。同時に、フロート枠６はカム枠５と一体に光軸Ｏに沿う方向に移動する。
【００５２】
カムフォロワ５ｅが固定枠２のカム溝２ｂの円周溝部２ｂｂに沿って移動する期間においては、カム枠５は、回転しながらワイド端位置とテレ端位置（図３）との間で進退移動（繰り出し及び繰り込み）される。
【００５３】
上述したように、カム枠５及びフロート枠６が一体に光軸Ｏに沿う方向に進退移動する際には、カム枠５の回転によって一群枠１２，二群枠１１，三群枠１０は、それぞれが所定の移動量で光軸Ｏに沿う方向に進退する。
【００５４】
具体的には、例えばカム枠５がフロート枠６と共に回転しながら繰り出されると、カム枠５の一群用カム溝５ｂと一群枠１２の第１カムフォロワ４４とのカム結合により、一群枠１２は、光軸Ｏに沿う方向に繰り出される。このとき、一群枠１２は、ガイド突部（図示せず）がフロート枠６の一群用直進溝６ｄに嵌入しているので、当該一群枠１２はフロート枠６によって回転規制されている。したがって、一群枠１２は、回転せずに繰り出される。
【００５５】
また、カム枠５がフロート枠６と共に回転しながら繰り出されると、カム枠５の二群用カム溝５ｃと二群枠１１の第２カムフォロワ４３とのカム結合により、二群枠１１は、光軸Ｏに沿う方向に繰り出される。このとき、二群枠１１は、第２カムフォロワ４３がフロート枠６の二群用直進溝６ｂに嵌入しているので、当該二群枠１１はフロート枠６によって回転規制されている。したがって、二群枠１１も、回転せずに繰り出される。
【００５６】
そして、カム枠５がフロート枠６と共に回転しながら繰り出されると、カム枠５の三群用カム溝５ｄと三群枠１０の第３カムフォロワ４２とのカム結合により、三群枠１０は、光軸Ｏに沿う方向に繰り出される。このとき、三群枠１０は、腕部材１０ｂがフロート枠６の三群用直進溝６ｃに嵌入しているので、当該三群枠１０はフロート枠６によって回転規制されている。したがって、三群枠１０も、回転せずに繰り出される。
【００５７】
この場合において、一群用直進溝６ｄ，二群用直進溝６ｂ，三群用直進溝６ｃの傾斜形状の違いから、一群枠１２，二群枠１１，三群枠１０のそれぞれの繰り出し量が設定されている。したがって、一群枠１２と三群枠１０との繰り出し量に違いが生じることから両者は次第に離間することになる。
【００５８】
一方、耐衝撃遮光用枠部材１４の長孔１４ａａには、一群枠１２の第１カムフォロワ４４の先端部分４４ｂが嵌合している。したがって、一群枠１２が光軸Ｏに沿う方向に前方に向けて移動すると、第１カムフォロワ４４の先端部分は長孔１４ａａ内を移動し、やがて長孔１４ａａの前側端部に当接する。この状態で一群枠１２がさらに前進すると、第１カムフォロワ４４の先端部分は長孔１４ａａの前側端部を前方に押し出すことになる。これにより、耐衝撃遮光用枠部材１４は、一群枠１２の前進に伴って前方に繰り出されることになる。
【００５９】
一群枠１２が最も前進し得る状態となったとき、即ち一群枠１２が最も延伸状態となったとき（図３の状態）、耐衝撃遮光用枠部材１４の被係止突部１４ｃが二群枠１１の前側係止突部１１ｃａにより係止される状態になる。これにより、耐衝撃遮光用枠部材１４は、それ以上前方へ移動することが阻止される。また、この状態では、第１カムフォロワ４４の先端部分が長孔１４ａａの前側端部に当接していることにより、耐衝撃遮光用枠部材１４は、光軸Ｏに沿う方向で後方への移動が規制されている。
【００６０】
この状態において、一群枠１２と二群枠１１との間隔は、図３に示す符号Ｄに示す距離だけ離間している。このとき、一群枠１２の後端部位と二群枠１１の先端部位とは、円周方向で重ならない状態で配置されることになり、よって両者の間には隙間が生じる状態になるが、その隙間には、耐衝撃遮光用枠部材１４が配置されることにより遮光されるようになっている。したがって、例えば図３の矢印Ｒで示されるように、一群枠１２と二群枠１１との隙間に向けて進む入射光があったとしても、耐衝撃遮光用枠部材１４によって長孔１４ａａを通過するわずかな光以外、確実に遮光されることになる。
【００６１】
また、図３に示す状態において、同図３の矢印Ｆで示す外力が二群枠１１に対して加わった場合には、その外力は第１カムフォロワ４４を介して耐衝撃遮光用枠部材１４の円周面上に加わることになる。
【００６２】
図３に示すように、一群枠１２が伸び切った状態において、例えば耐衝撃遮光用部材１４が配設されていなければ、一群枠１２の後端部位は同外力の全てを受けることになるが、本実施形態においては、耐衝撃遮光用枠部材１４が一群枠１２と二群枠１１との隙間に常に重なるように配置されているので、当該耐衝撃遮光用枠部材１４、特に円板部１４ｂが図３の矢印Ｆの外力を受け止めるようになる。したがって、一群枠１２の後端部位が外力によって、その円筒形状が潰されるように変形したり破損してしまうようなこともない。
【００６３】
一方、本レンズ鏡筒１が使用状態にあってテレ端位置（図３の状態）にあるときに、使用者により所定の操作部材を用いて繰り込み方向へのズーミング操作がなされると、本レンズ鏡筒１の制御回路は、ズーミング信号を受けてズーミングユニットを制御してズームモータを上述の繰り込み操作時とは反対方向へと回転駆動させる。すると、上述の繰り出し方向へのズーミング動作時と同様の作用により、カム枠５が回転し、これによって一群枠１２，二群枠１１，三群枠１０は、それぞれ所定の繰り込み動作を行う。
【００６４】
この場合において、一群枠１２が繰り込まれる際には、第１カムフォロワ４４の頭部４４ａがフロート枠６の一群用直進溝６ｄを介してカム枠５の一群用カム溝５ｂに係合していることから、カム枠５の回転によって一群枠１２は繰り込まれる。このとき第１カムフォロワ４４の軸部の先端部分４４ｂは耐衝撃遮光用枠部材１４の長孔１４ａａに沿って移動する。
【００６５】
すると、第１カムフォロワ４４の軸部の先端部分４４ｂと長孔１４ａａの前側端部との当接状態が解除されて、耐衝撃遮光用枠部材１４は後方に向けての移動が自在となるが、第１カムフォロワ４４の軸部の先端部分４４ｂと長孔１４ａａの前側端部とが当接するか、又は耐衝撃遮光用枠部材１４の被係止突部１４ｃが二群枠１１の前側係止突部１１ｃａと後側係止突部１１ｃｂとに係止されることにより、耐衝撃遮光用枠部材１４の移動範囲は規制される。
【００６６】
そして、本レンズ鏡筒１が使用状態にあるときに使用者により電源をオフ状態とする操作が行われると、本レンズ鏡筒１の制御回路（図示せず）は、電源オフ信号を受けてズーミングユニットを制御しズームモータを回転駆動させる。これにより、ズームモータは、カム枠５を回転させて、各枠部材をワイド端位置とし、さらにこのワイド端位置から沈胴位置へと移動させる。
【００６７】
この場合において、一群枠１２が繰り込まれると、やがて第１カムフォロワ４４の軸部の先端部分４４ｂは長孔１４ａａの後側端部に当接する。この状態で一群枠１２がさらに後退すると、第１カムフォロワ４４の先端部分は長孔１４ａａの後側端部を後方に押し戻す。これにより、耐衝撃遮光用枠部材１４は、一群枠１２の後退に伴って後方へと繰り込まれる。
【００６８】
そして、耐衝撃遮光用枠部材１４の被係止突部１４ｃが、二群枠１１の後側係止突部１１ｃｂにより係止される状態になると、耐衝撃遮光用枠部材１４は、それ以上の後方への移動が規制される。また、第１カムフォロワ４４の軸部の先端部分４４ｂと長孔１４ａａの後側端部との当接により、耐衝撃遮光用枠部材１４は、前方への移動も規制される。この状態において、本レンズ鏡筒１は、図４の沈胴状態になる。
【００６９】
以上説明したように上記一実施形態によれば、複数の枠部材が光軸方向に相対移動可能に構成されるレンズ鏡筒１において、沈胴状態から撮影準備状態へと変位し、さらに撮影準備状態においてズーム動作がなされたときに、各枠部材が光軸Ｏに沿って前方に移動して一群枠１２と二群枠１１とが離間して両者間に隙間が生じるような位置関係となった場合に、一群枠１２と二群枠１１との隙間に耐衝撃遮光用枠部材１４が常に重なるように配置したので、当該耐衝撃遮光用枠部材１４が図３の矢印Ｆの外力を受け止めるような構造となっている。したがって、本実施形態のレンズ鏡筒１は、高い耐衝撃性を備えることができる。
【００７０】
これに加えて、耐衝撃遮光用枠部材１４が一群枠１２と二群枠１１との隙間を遮蔽するように常に重なった状態で配置されるので、一群枠１２と二群枠１１との隙間から侵入してくる不要光を防ぐことができる。よって、本実施形態のレンズ鏡筒１は、高い遮光性を備えることができる。
【００７１】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００７２】
【図１】本発明の一実施形態のレンズ鏡筒の構成を示す分解斜視図。
【図２】図１のレンズ鏡筒を組み立てた状態の斜視図であって、かつ光軸に沿う線と図１のＡ−Ａ線及び同図１のＢ−Ｂ線を含む平面で切断した切断面を示す斜視断面図。
【図３】図１のレンズ鏡筒の各枠部材が繰り出された使用状態（撮影準備状態）であって最も伸長した位置（テレ端位置）にある場合を示す断面図。
【図４】図１のレンズ鏡筒の各枠部材が繰り込まれた非使用状態（沈胴状態）にある場合を示す断面図。
【符号の説明】
【００７３】
１……レンズ鏡筒
２……固定枠
５……カム枠
５ｂ……一群用カム溝
５ｃ……二群用カム溝
５ｄ……三群用カム溝
５ｅ……カムフォロワ
６……フロート枠
６ａ……ガイド突起部
６ｂ……二群用直進溝
６ｃ……三群用直進溝
６ｄ……一群用直進溝
１０……三群枠
１１……二群枠
１ｃａ……前側係止突部
１１ｃｂ……後側係止突部
１２……一群枠
１３……四群枠
１４……耐衝撃遮光用枠部材
１４ａ……筒状部
１４ａａ……長孔
１４ｂ……円板部
１４ｂｂ……開口
１４ｃ……被係止突部
１５……保持プレート
２１……一群レンズ
２２……二群レンズ
２３……三群レンズ
２４……四群レンズ
２５……撮像ユニット
２６……撮像素子
２６ａ……光学ローパスフイルタ
２７ａ，２７ｂ……レンズバリア
４２……第３カムフォロワ
４３……第２カムフォロワ
４４……第１カムフォロワ
４４ａ……頭部
４４ｂ……軸部
【図１】
2009192733.tif 000003
【図２】
2009192733.tif 000004
【図３】
2009192733.tif 000005
【図４】
2009192733.tif 000006